(57)【要約】【課題】本発明は、導通チエック用治具を容易に端子部材に接触させることができるＦＰＣを装着可能なカード用コネクタ装置を提供すること。【解決手段】本発明のカード用コネクタ装置の複数の端子部材４の一端部側には、カード部材（図示せず）の接触部が接触可能なカード用接触部４ｂをそれぞれ形成し、他端部側には、ＦＰＣ１１が接触可能なＦＰＣ用接触部５ｂと、導通チエック用治具（図示せず）が接触可能な治具接触部４ｅとをそれぞれ形成し、このそれぞれの治具接触部４ｅをロック部材７の開口部７ｄから露出させた。そのために、開口部から露出する端子部材４の治具接触部４ｅに導通チエック用治具を高精度に接触させることができる。【選択図】　　　　図９
2004127692.tif 000002
【特許請求の範囲】
【請求項１】
複数の接触部を有するカード部材を前端部側から挿入して内部のカード収納部に装着可能なハウジングと、前記カード収納部に挿入して装着した前記カード部材の前記接触部に接触可能な前記カード収納部内に配設した複数の端子部材とを備え、前記ハウジングには、前記端子部材に接触可能なＦＰＣ（フレキシブルプリント基板）を挿入可能なＦＰＣ挿入部を形成し、
前記複数の端子部材には、前記カード部材の前記接触部が接触可能なカード用接触部をそれぞれ形成すると共に、前記ＦＰＣが接触可能なＦＰＣ用接触部と、導通チエック用治具が接触可能な治具接触部とをそれぞれ形成し、このそれぞれの治具接触部を前記ハウジングの一部から露出させたことを特徴とするカード用コネクタ装置。
【請求項２】
前記端子部材は、前記ハウジングの前記後端部方向に平坦状に延出させて前記治具接触部を形成し、この治具接触部に前記導通チエック用治具を接触させるようにしたことを特徴とする請求項１記載のカード用コネクタ装置。
【請求項３】
前記治具接触部は、前記ハウジングの前記後端部近傍から前記ハウジングの上面と平行方向に露出させたことを特徴とする請求項２記載のカード用コネクタ装置。
【請求項４】
前記治具接触部は、前記カード用接触部および前記ＦＰＣ用接触部から離れた位置に形成したことを特徴とする請求項１または２記載のカード用コネクタ装置。
【請求項５】
前記ハウジングには、前記ＦＰＣを前記端子部材の前記ＦＰＣ接触部に圧接して抜け止め可能なロック部材を配設し、このロック部材には、前記それぞれの治具接触部を露出させるための開口部を形成したことを特徴とする請求項１乃至４のいずれかに記載のカード用コネクタ装置。
【請求項６】
前記ロック部材には、前記開口部に位置させた前記治具接触部の変形防止のための端子受け面を形成したことを特徴とする請求項５記載のカード用コネクタ装置。
【発明の詳細な説明】
【０００１】
【発明の属する技術分野】
本発明はカード用コネクタ装置に係わり、特にパーソナルコンピュータ等の記憶媒体に用いられるＩＣカードや、デジタルカメラ等の電子機器に使用されるカード等に書き込み、または読み出し可能なカード用コネクタ装置に関する。
【０００２】
【従来の技術】
パーソナルコンピュータ（以後ＰＣと称する）等の機器の増設記録装置としてＩＣカードに必要な情報を書き込み、あるいは読み出しを行うためにカード用コネクタ装置が一般的に用いられている。
このような従来のカード用コネクタ装置としては、図１１に示すように、所定の厚さのハウジング５１が配設され、このハウジング５１は、厚さ方向の中央部に図示左右方向に貫通する貫通孔５２が形成されている。
【０００３】
また、貫通孔５２に挿入して装着可能な板状のカード部材５３と、ハウジング５１の貫通孔５２に着脱自在に保持されるＦＰＣ（フレキシブルプリント基板）５４とが配設されている。
そして、カード部材５３には、後述する端子部材５５のカード用接点部５５ｃが接触可能な接点部（図示せず）が形成され、ＦＰＣ５４には、複数の配線パターン（図示せず）と、この配線パターンに接続する複数の導体部５４ａが、図示下面側に露出して形成されている。
【０００４】
また、貫通孔５２の図示左側の後端部寄りには、複数の端子部材５５が取り付けられている。この端子部材５５は、金属板を折り曲げて形成され、垂直状に延びる中央板５５ａと、この中央板５５ａの下部からハウジング５１の後端部方向に延びて上方へ屈曲され、ハウジング５１の図示右側の前端部方向に延びて略Ｕ字状に形成されたＦＰＣ用接触部５５ｂと、中央板５５ａの上部からハウジング５１の前端部方向に延びて下方に延出した後に上方に延びて略Ｌ字状に形成されたカード接触部５５ｃとを有して構成されている。
【０００５】
このような従来のカード用コネクタ装置は、ＰＣ等の機器（図示せず）側のＦＰＣ５４を、ハウジング５１の後端部側の貫通孔５２から挿入すると、挿入されたＦＰＣ５４が、ＦＰＣ接触部５５ｂを下方に弾性変形させると共に、導体部５４ａがＦＰＣ接触部５５ｂに接触する。
そして、更にＦＰＣ５４を貫通孔５２内に挿入すると、ＦＰＣ接触部５５ｂと貫通孔５２の上壁との間にＦＰＣ５４の先端部が弾性狭持されて、ＦＰＣ５４の導体部５４ａが端子部材５５のＦＰＣ用接触部５５ｂに接触して、ＦＰＣ５４と端子部材５５６とが導通するようになっている。
【０００６】
また、ハウジング５１の図示右側の前端部側から貫通孔５２内にカード部材５３を挿入すると、カード部材５３に押されてスライド部材（図示せず）も共に移動する。そして、カード部材５３の先端部が端子部材５５のカード用接触部５５ｃを上方に押し上げて弾性変形させ、カード部材５３の接点部（図示せず）がカード用接触部５５ｃに接触して導通するようになっている。
このような従来のカード用コネクタ装置は、ＰＣ等の機器側のＦＰＣ５４をハウジング５１の貫通孔５２に差し込むだけで、ＦＰＣ５４と端子部材５５とを電気的導通させることができ、ＰＣ等の装置側に従来のカード用コネクタ装置を取り付ける時の組立作業効率が良かった。
【０００７】
【特許文献１】
特開２００１−２６６９８１号公報
【０００８】
【発明が解決しようとする課題】
しかし、上述したような従来のカード用コネクタ装置において、ＦＰＣ５４を端子部材５５に接続しない状態で、カード部材５３と端子部材５５との導通チエック、あるいは信号波形チエック等の検査を導通チエック用治具（図示せず）で行おうとしても、導通チエック用治具を端子部材５５に接触させることができなかった。
そのために、従来のカード用コネクタ装置は、端子部材５５に導通させた状態のＦＰＣ５４を、導通チエック用治具に接続して導通チエック等を行っていたので、導通チエック等の検査に時間が掛かる問題があった。
【０００９】
この対策として、ＦＰＣ５４を挿入する貫通孔５２に導通チエック用治具の接触端子を差し込んで、端子部材５５の一部に押し当てることも可能ではあるが、接触端子を押し当てる部分の端子部材５５が変形して、ＦＰＣ５４、またはカード部材５３との接触が不安定になるおそれがあった。
【００１０】
本発明は前述したような問題点に鑑みてなされたもので、導通チエック用治具を容易に端子部材に接触させることができるＦＰＣを装着可能なカード用コネクタ装置を提供することを目的とする。
【００１１】
【課題を解決するための手段】
上記課題を解決するための第１の解決手段として本発明のカード用コネクタ装置は、複数の接触部を有するカード部材を前端部側から挿入して内部のカード収納部に装着可能なハウジングと、前記カード収納部に挿入して装着した前記カード部材の前記接触部に接触可能な前記カード収納部内に配設した複数の端子部材とを備え、前記ハウジングには、前記端子部材に接触可能なＦＰＣ（フレキシブルプリント基板）を挿入可能なＦＰＣ挿入部を形成し、
前記複数の端子部材には、前記カード部材の前記接触部が接触可能なカード用接触部をそれぞれ形成すると共に、前記ＦＰＣが接触可能なＦＰＣ用接触部と、導通チエック用治具が接触可能な治具接触部とをそれぞれ形成し、このそれぞれの治具接触部を前記ハウジングの一部から露出させたことを特徴とする。
【００１２】
また、上記課題を解決するための第２の解決手段として、前記端子部材は、前記ハウジングの前記後端部方向に平坦状に延出させて前記治具接触部を形成し、この治具接触部に前記導通チエック用治具を接触させるようにしたことを特徴とする。
【００１３】
また、上記課題を解決するための第３の解決手段として、前記治具接触部は、前記ハウジングの前記後端部近傍から前記ハウジングの上面と平行方向に露出させたことを特徴とする。
【００１４】
また、上記課題を解決するための第４の解決手段として、前記治具接触部は、前記カード用接触部および前記ＦＰＣ用接触部から離れた位置に形成したことを特徴とする。
【００１５】
また、上記課題を解決するための第５の解決手段として、前記ハウジングには、前記ＦＰＣを前記端子部材の前記ＦＰＣ接触部に圧接して抜け止め可能なロック部材を配設し、このロック部材には、前記それぞれの治具接触部を露出させるための開口部を形成したことを特徴とする。
【００１６】
また、上記課題を解決するための第６の解決手段として、前記ロック部材には、前記開口部に位置させた前記治具接触部の変形防止のための端子受け面を形成したことを特徴とする。
【００１７】
【発明の実施の形態】
以下、本発明の実施の形態のカード用コネクタ装置を図１〜図１０に基づいて説明する。図１は本発明のカード用コネクタ装置の上面図であり、図２は本発明に係わるハウジングの上面図であり、図３〜図６は発明に係わるロック部材を説明する図であり、図７は本発明に係わる端子部材の斜視図であり、図８、図９は本発明に係わるロック部材の動作を説明する要部断面図であり、図１０は本発明に係わるロック部材の動作を説明する概略図である。
【００１８】
まず、本発明の１実施の形態のカード用コネクタ装置１は、図２に示すように、樹脂材料等の絶縁材で形成されて外形が略矩形状のハウジング２が配設されている。このハウジング２は、図示左側の前端部側から図示右側の後端部側の途中までにカード収納部３が形成され、このカード収納部３には、内部にＩＣ（集積回路）を収納して、記録媒体として一般に使用されている公知のカード部材（図示せず）が収納可能になっている。
【００１９】
前記カード収納部３には、図２に示すように、底面３ａの図示上下の両内壁面には段差部３ｂが形成されて、この段差部３ｂにカード部材（図示せず）を載置して所定の収納位置に案内可能になっている。
また、カード収納部３には、底面３ａの奥側（図示右側）に複数の端子部材４が並設されている。
そして、底面３ａの奥側には、それぞれの端子部材４の一端部側である図示左側に延びる腕部４ａの先端部に形成したカード用接触部４ｂを囲むように突出壁３ｃが形成されている。
この突出壁３ｃによって、カード挿入部３に異物が挿入された場合、あるいはカード部材を逆挿入した場合に、端子部材４のカード用接触部４ｂが破損するのを防止するようになっている。
【００２０】
また、ハウジング２は、図示右側の後端部側に、後述するＦＰＣ１１を挿入可能なＦＰＣ挿入部２ｂを形成した底壁２ｃが設けられ、この底壁２ｃは、図８に示すように、右側の後端部側が傾斜状になっている。
また、ハウジング２には、図８に示すように、ＦＰＣ挿入部２ｂとカード収納部３との間に、端子部材４を位置決め可能な端子位置決め部２ｄが突出形成され、この端子位置決め部２ｄには、端子部材４の後述する端子固定部６を圧入可能な穴状の圧入孔２ｅが貫通形成されている。
【００２１】
また、ハウジング２の裏面側には、図１０に示すように、ＦＰＣ挿入部２ｂ近傍に位置する底壁２ｃの側面に、後述するロック部材７の第１係止部７ｆが係合可能な鈎状の係合部２ｆが突出形成されている。
また、図２に示すカード収納部３の段差部３ｂの外側には、側壁２ｇ、２ｇがそれぞれ形成されている。
このそれぞれの側壁２ｇ、２ｇには、後述するカバー１０をスナップ係止するための複数の係止部２ｈが外向きに突出形成されている。
【００２２】
また、端子位置決め部２ｄに形成した複数の圧入孔２ｅには、複数の端子部材４が圧入されてハウジング２に固着されている。前記端子部材４は、図７に示すように、所定の間隔を有して互いに絶縁されて並設されている。
また、端子部材４は、導電性を有すると共に弾性を有する板材、例えば金属板からなり、図示左方向の一端部側に延出形成されて、板厚方向に弾性変形可能な腕部４ａが設けられている。
この腕部４ａの図示左側の先端部には、カード部材（図示せず）の接触部が接触可能なカード用接触部４ｂが上方側に湾曲して突出形成されている。
【００２３】
また、端子部材４は、腕部４ａの図示右側の根本部分が階段状に図示上方に折り曲げられて、ハウジング２の端子位置決め部２ｄに位置決め可能な位置決め部４ｃが形成されている。
また、位置決め部４ｃから図示右方向の他端部側に延びて、所定の幅寸法の基部４ｄが形成され、この基部４ｄの幅方向の一側辺を直角状に図示下方に折り曲げて、ＦＰＣ固定部５が形成されている。
また、基部４ｄの図示右側端部には、平坦状の治具接触部４ｅが延出形成れており、この平坦状の治具接触部４ｅに、それぞれ導通チエック用治具（図示せず）が接触可能になっている。
【００２４】
前記ＦＰＣ固定部５は、後述するＦＰＣ１１を差込可能な所定の幅寸法で略Ｕ字状の差込口５ａが打ち抜き形成されている。
また、ＦＰＣ固定部５は、差込口５ａを挟んで図示下方側にＦＰＣ用接触部５ｂが形成され、ＦＰＣ用接触部５ｂと対向する図示上方側にロック部材支持部５ｃが形成されている。
【００２５】
前記ＦＰＣ用接触部５ｂには、図示右側の先端部側で、差込口５ａの入り口部分に鈎状の抜け止め部５ｄが形成されている。前記ＦＰＣ用接触部５ｂは、図示上下方向に弾性変形可能になっている。
前記治具接触部４ｅは、カード用接触部４ｂおよびＦＰＣ用接触部５ａから離れた位置に形成されている。そのために、導通チエック用治具を接触させた治具接触部４ｅに応力が加わったとしても、カード用接触部４ｂおよびＦＰＣ用接触部５ａが影響されないようになっている。
また、端子部材４は、ハウジング２の後端部方向に平坦状に延出させて治具接触部４ｅが形成されているので、平坦状の治具接触部４ｅに導通チエック用治具を安定して接触させることができる。
【００２６】
また、端子部材４は、腕部４ａ寄りの基部４ｄの一部を、ＦＰＣ固定部５と同方向に折り曲げて、図８、９に示すような端子固定部６（図７では省略している）が突出形成されている。
このような端子部材４は、位置決め部４ｃをハウジング２の端子位置決め部２ｄに位置合わせし、端子固定部６を圧入孔２ｅに圧入することにより、ハウジング２に固着可能になっている。
そして、ハウジング２に取り付けた端子部材４は、図８に示すように、ＦＰＣ用接触部５ｂの下部とテーパ状の底壁２ｃとの間に傾斜状の隙間が形成されるようになっている。
【００２７】
また、図８に示すように、端子部材４の基部４ｄおよび治具接触部４ｅに沿って矢印Ａ、Ｂ方向にスライド移動可能なロック部材７が配設されている。このロック部材７は、樹脂材料からなり端子部材４の基部４ｄおよびロック部材支持部５ｃが嵌合可能な嵌合溝７ａが形成され、この嵌合溝７ａは、図示左側の入り口側が開放されている。
また、ロック部材７は、嵌合溝７ａを挟んで図示下方側に、ＦＰＣ圧接部７ｂが形成され、このＦＰＣ圧接部７ｂと対向する図示上方側に、板状でＦＰＣ圧接部７ｂより図示左方向に長いガイド壁７ｃが形成されている。
そして、ロック部材７を矢印Ａ、Ｂ方向に移動させることにより、ガイド壁７ｃが平坦状の基部４ｄ上をスライド移動して、嵌合溝７ａにロック部材支持部５ｃが嵌合するようになっている。
【００２８】
前記ロック部材７は、図３〜図６に示すように、嵌合溝７ａを挟んで互いに対向するＦＰＣ圧接部７ｂとガイド壁７ｃとによって断面視の形状が略コ字状に形成されいる。また、嵌合溝７ａの奥側には、図３に示すように、ガイド壁７ｃの一部が切り欠きされて開口部７ｄが形成され、この開口部７ｄによって、嵌合溝７ａの奥側が開放されている。
また、ＦＰＣ圧接部７ｂには、嵌合溝７ａの奥側で開口部７ｄが形成された部分に、平坦状の端子受け面７ｅが形成され、この端子受け面７ｅ上に端子部材４の平坦状の治具接触部４ｅが位置するようになっている。
また、端子受け面７ｅ上に治具接触部４ｅが位置することにより、導通チエック用治具が治具接触部４ｅに接触しても、治具接触部４ｅが変形するのを防止するようになっている。
【００２９】
また、図４に示すように、開口部７ｄを形成した部分のガイド壁７ｃの左右端部には壁部７ｆ、７ｆが突出形成され、この壁部７ｆ、７ｆからは、壁部７ｆと直交する方向に係止腕７ｇ、７ｇが形成され、この一対の係止腕７ｇ、７ｇは、先端部に鈎状の第１係止部７ｈが形成されている。
また、図３、４に示すガイド壁７ｃの平坦面の２箇所には、一対のスリット孔７ｊ、７ｊが貫通形成されており、このスリット孔７ｊに後述するカバー１０の係合片１０ｄ係合可能になっている。
【００３０】
前記ロック部材７は、図１０に示すように、ハウジング２を裏面側から見た状態において、第１係止部７ｈがハウジング２の係合部２ｆにスナップ係合して、ハウジング２に係合支持されている。
また、一対の係支腕７ｇ、７ｇには、図３に示すように、上方に突出する鈎状の第２係止部７ｋが形成され、この第２係支部７ｋは、図１０に示すハウジング２の裏面側に係合支持可能になっている。
【００３１】
そして、ハウジング２に係合支持した状態のロック部材７のガイド壁７ｃを端子部材４の基部４ｄ上に沿って矢印Ａ方向にスライドさせると、図９に示すように、端子部材４のロック部材支持部５ｃが嵌合溝７ａに位置すると共に、ＦＰＣ圧接部７ｂが差込口５ａ内に侵入する。
すると、差込口５ａに先に差し込んでいた後述するＦＰＣ１１が、ＦＰＣ圧接部７ｂで抜け止め部５ｄに圧接されて、後述するＦＰＣ１１の導体パターン１１ｃが端子部材４に電気的に導通するようになっている。
【００３２】
また、ロック部材７のＦＰＣ圧接部７ｂを差込口５ａに差し込んで、後述するＦＰＣ１１を抜け止め部５ｄに圧接すると、ＦＰＣ用接触部５ｂが、下方の底壁２ｃとの間の隙間側に弾性変形するようになっている。
また、図２に示すハウジング２の図示下方の側壁２ｇ近傍の底面３ａ上には、カード収納部３に装着したカード部材（図示せず）を排出可能なスライド部材８が配設され、このスライド部材８はコイルバネ９に弾性付勢されて、図示左右方向にスライド自在になっている。
また、ハウジング２は、カード収納部３の上方を覆う金属板からなるカバー１０が配設されており、このカバー１０は、図１に示すように、２個の矩形状の開口部１０ａと、カード収納部３に挿入したカード部材の上面に当接可能な舌片部１０ｂ、１０ｃとが形成されている。
【００３３】
また、カバー１０は、図示右端部に一対の係合片１０ｄ、１０ｄが互いに対向する方向に折り曲げ形成され、この係合片１０ｄ、１０ｄが、ロック部材７のスリット孔７ｊに係合可能になっている。
このようなカバー１０は、図１に示す上下の側板１０ｅ、１０ｅがハウジング２の側壁２ｇを挟むように折り曲げ形成されている。
また、側板１０ｅの一部を外向きに折り曲げて、ＰＣ等の機器側の基板（図示せず）に取り付けるための取付部１０ｆが形成されている。
そして、側板１０ｅに形成した係止孔（図示せず）を側壁２ｇの係止部２ｈにスナップ係合させることにより、カバー１０をハウジング２に装着可能になっている。
【００３４】
このような構成の本発明のカード用コネクタ装置１は、パーソナルコンピュータ（以後ＰＣと称する）等の機器（図示せず）側に取り付けて、機器側のＦＰＣ（フレキシブルプリント基板）１１の端部を、ＦＰＣ挿入部２ｂから端子部材４の差込口５ａに差し込み可能になっている。
前記ＦＰＣ１１は、図１、図８に示すように、所定厚さのフィルム状の基材１１ａを有し、この基材１１ａの一端部側で一方の面（図示上面）には、基材１１ａの一端部側の変形を防止するために変形防止部材１１ｂが設けられ、他方の面には複数の回路パターン（図示せず）に接続された複数の導体パターン１１ｃが形成されている。
【００３５】
そして、本発明のカード用コネクタ装置１へのＦＰＣ１１の装着方法を説明すると、まず、ＦＰＣ１１を装着する前のロック部材７を、図８に示すように、矢印Ｂ方向に移動させると、ＦＰＣ圧接部７ｂが端子部材４の差込口５ａから抜け出て、図１０の２点鎖線で示す第１係止部７ｈがハウジング２の係合部２ｆに係合支持された状態になっている。
そして、この状態のロック部材７を矢印Ａ方向に移動させると、図９に示すように、嵌合溝７ａにロック部材支持部５ｃが嵌合し、ＦＰＣ圧接部７ｂがＦＰＣ１１の導体パターン１１ｃをＦＰＣ用接触部５ｂの抜け止め部５ｄに圧接する。このことにより、ＦＰＣ１１の導体パターン１１ｃが端子部材４に電気的に導通すると共に、ＦＰＣ１１が差込口５ａから抜け止めされる。
【００３６】
この時の端子部材４の治具接触部４ｅは、図９に示すように、ロック部材７の開口部７ｄから露出するので、治具接触部４ｅに上方から導通チエック用治具（図示せず）を接触させて、カード部材と端子部材４との導通チエック、あるいは波形チエック等の検査を行うことができる。
また、開口部７ｄから露出する治具接触部４ｅは、ロック部材７の端子受け面７ｅ上に位置するので、治具接触部４ｅの接触する導通チエック用治具の接触圧がばらついて大きくなっても、この接触圧を端子受け面で受け止めて、端子部材４の変形を防止できる。
【００３７】
また、本発明のカード用コネクタ装置１は、差込口５ａにＦＰＣ１１を差し込まない状態でロック部材７を矢印Ａ方向にスライドさせることで、ロック部材７の開口部７ｄから治具接触部４ｅを露出させることができる。
そのために、本発明のカード用コネクタ装置１は、ＰＣ等の装置側のＦＰＣ１１を取り付けしなくても、導通チエック用治具を治具接触部４ｅに接触させて、カード部材と端子部材４との導通チエック、あるいは波形チエック等の検査を行うことができる。
【００３８】
また、本発明の実施の形態では、ＦＰＣ１１の抜け止めをロック部材７で行い、このロック部材７に治具接触部４ｅが露出する開口部７ｄを形成したもので説明したが、ロック部材７を用いないでＦＰＣ１１を抜け止めするようなカード用コネクタ装置（図示せず）においては、ハウジング２の後端部側に開口部を形成し、この開口部から治具接触部４ｅを露出させるようにしたものでも良い。
または、開口部を形成しないで、基部４ｄから延長形成した治具接触４ｅを、ハウジングの後端部側から露出させるようにしたものでも良い。
即ち、複数の端子部材４のそれぞれの治具接触部４ｅは、ハウジングの一部から露出させるようにしたものであれば良い。
【００３９】
【発明の効果】
以上説明したように、本発明のカード用コネクタ装置は、端子部材に形成した治具接触部をハウジングの一部から露出させたので、この露出部分に導通チエック用治具を確実に接触させることができ、高精度な検査ができる。
【００４０】
また、端子部材は、ハウジングの後端部方向に平坦状に延出させて治具接触部を形成し、この治具接触部に導通チエック用治具を接触させるようにしたので、更に確実に導通チエック用治具を治具接触部に接触させることができる。
【００４１】
また、治具接触部は、ハウジングの後端部近傍からハウジングの上面と平行方向に露出させたので、治具接触部の上方に導通チエック用治具を位置させて検査することができ、作業性の良い検査ができる。
【００４２】
また、治具接触部は、カード用接触部およびＦＰＣ用接触部から離れた位置に形成したので、治具接触部に導通チエック用治具を接触させても、カード用接触部およびＦＰＣ用接触部が変形するような無く、カード部材およびＦＰＣの接触が不安定になることがない、高性能なカード用コネクタ装置を提供できる。
【００４３】
また、ロック部材には、それぞれの治具接触部を露出させるための開口部を形成したので、ロック部材があっても、ロック部材に形成した開口部から治具接触部を露出させて導通チエック用治具を接触させることができ、検査の作業効率がよい。
【００４４】
また、ロック部材には、開口部に位置させた治具接触部の変形防止のための端子受け面を形成したので、開口部から露出する治具接触部に導通チエック用治具を接触させても、接触圧を端子受け面で受け止めることができ、導通チエック用治具の接触圧が大きくても、端子部材の変形を防止できる。
【図面の簡単な説明】
【図１】本発明のカード用コネクタ装置の上面図である。
【図２】発明に係わるハウジングの上面図である。
【図３】発明に係わるロック部材を説明する図である。
【図４】発明に係わるロック部材を説明する図である。
【図５】発明に係わるロック部材を説明する図である。
【図６】発明に係わるロック部材を説明する図である。
【図７】本発明に係わる端子部材の斜視図である。
【図８】本発明に係わるロック部材の動作を説明する要部断面図である。
【図９】本発明に係わるロック部材の動作を説明する要部断面図である。
【図１０】本発明に係わるロック部材の動作を説明する概略図である。
【図１１】従来のカード用コネクタ装置を説明する要部断面図である。
【符号の説明】
１　本発明のカード用コネクタ装置
２　ハウジング
２ａ　切り欠き部
２ｂ　ＦＰＣ挿入部
３　カード収納部
４　端子部材
４ａ　腕部
４ｂ　カード用接触部
４ｄ　基部
５　ＦＰＣ固定部
５ａ　差込口
５ｂ　ＦＰＣ用接触部
５ｃ　ロック部材支持部
５ｄ　抜け止め部
６　端子固定部
７　ロック部材
７ａ　嵌合溝
７ｂ　ＦＰＣ圧接部
７ｃ　ガイド壁
７ｄ　開口部
７ｅ　端子受け面
７ｆ　壁部
７ｇ　係止腕
７ｈ　第係止部
７ｊ　スリット孔
７ｋ　第２係止部
１１　ＦＰＣ
１１ｃ　導体パターン
【図１】
2004127692.tif 000003
【図２】
2004127692.tif 000004
【図３】
2004127692.tif 000005
【図４】
2004127692.tif 000006
【図５】
2004127692.tif 000007
【図６】
2004127692.tif 000008
【図７】
2004127692.tif 000009
【図８】
2004127692.tif 000010
【図９】
2004127692.tif 000011
【図１０】
2004127692.tif 000012
【図１１】
2004127692.tif 000013